(57)【要約】【課題】材質の異なる幅広い衣料に対して、優れた肌触り、柔軟性を付与する洗浄剤組成物を提供する。【解決手段】（ａ）カルボキシ変性シリコーン化合物０．０１〜１０質量％、及び（ｂ）界面活性剤１０〜６０質量％を含有し、特定の第４級アンモニウム塩の含有量が０．１〜１０質量％、且つ（ｂ２）エチレンオキシド付加モル数が３以下のアルコールエトキシレート型非イオン界面活性剤の組成物中の含有量が１．２質量％以上である、洗浄剤組成物。【選択図】なし【特許請求の範囲】
【請求項１】
（ａ）カルボキシ変性シリコーン化合物０．０１〜１０質量％、及び（ｂ）界面活性剤１０〜６０質量％を含有する洗浄剤組成物であって、（ｂ１）下記一般式（１）で表される第４級アンモニウム塩の組成物中の含有量が０．１〜１０質量％であり、且つ（ｂ２）炭素数８〜２０のアルコールにエチレンオキシドが付加してなる非イオン界面活性剤であって、付加モル数が３以下の非イオン界面活性剤の組成物中の含有量が１．２質量％以上である、洗浄剤組成物。
【化１】
2008169246.tif 000006
（式中、Ｒ1は炭素数８〜２２の炭化水素基、Ｒ2、Ｒ3、Ｒ4はそれぞれ炭素数１〜３の飽和炭化水素基、Ｘ-は対アニオンである。）
【請求項２】
（ａ）成分と（ｂ１）成分との質量比が、（ａ）／（ｂ１）＝１０／１〜１／１０である、請求項１記載の洗浄剤組成物
【請求項３】
２０℃におけるｐＨが、組成物が粉末もしくは固体の場合、０．１質量％水溶液のｐＨが６〜８であり、組成物が液体の場合、原液のｐＨが６〜８である、請求項１又は２記載の洗浄剤組成物。
【発明の詳細な説明】
【技術分野】
【０００１】
本発明は、洗浄剤組成物に関する。
【背景技術】
【０００２】
従来、ウール・ドライマーク衣料用洗剤、いわゆる軽質洗剤は、ニット製品、主にウールのセーターに使用されてきた。しかし近年、この軽質洗剤で洗濯することで洗濯時の形崩れを低減できることから、ウールのセーターだけではなく、化繊・木綿のカットソーやパンツなどのおしゃれ着、更にはブラジャーやショーツなどの肌着まで幅広く使われるようになってきている。
【０００３】
一方、軽質洗剤では、洗濯物を干すとき及び着用時の肌触りや柔軟性が要求される。肌触り・柔軟性を発現させる基剤としては、陽イオン界面活性剤やシリコーン化合物が知られている。シリコーン化合物は、例えばジメチコーン、アミノ変性シリコーン、カルボキシ変性シリコーン等が一般的に使われている。
【０００４】
これら基剤の性能に関しては、ウール素材に対してはシリコーン化合物の効果が高いが、安価なジメチコーンやカルボキシ変性シリコーンの効果は不十分であり、高価なアミノ変性シリコーンが最も高い効果を示す（例えば特許文献１）。一方、化繊や木綿素材に対しては陽イオン界面活性剤が最も一般的である。陽イオン界面活性剤としては、モノアルキルカチオン、ジアルキルカチオンがあげられる。生分解性の観点から、モノアルキルカチオンの使用が好ましいが、柔軟性能が満足するレベルではなく、一般には生分解性の劣るジアルキルカチオンが使われている（非特許文献１）。
【０００５】
また、ウール素材は、水への濡れ性が悪く、通常の洗剤を用いて弱水流で洗濯した場合、洗濯工程で洗濯物が濡れない部分が生じ、肌触りや柔軟性を発現できないばかりでなく、汚れも充分に落とすことができないことがある。
【特許文献１】特開２０００−１４４１９９号公報
【非特許文献１】オレオサイエンス  第５巻第１０号４６３頁〜４７１頁（２００５）
【発明の開示】
【発明が解決しようとする課題】
【０００６】
本発明の課題は、ウール・ドライマーク衣料から、化繊・木綿のカットソーやパンツなどのおしゃれ着、更にはブラジャーやショーツなどの肌着まで、材質の異なる幅広い衣料に対して、優れた肌触り、柔軟性を付与できる洗浄剤組成物を提供することにある。
【課題を解決するための手段】
【０００７】
本発明は、（ａ）カルボキシ変性シリコーン化合物〔以下、（ａ）成分という〕０．０１〜１０質量％、及び（ｂ）界面活性剤〔以下、（ｂ）成分という〕１０〜６０質量％を含有する洗浄剤組成物であって、（ｂ１）下記一般式（１）で表される第４級アンモニウム塩〔以下、（ｂ１）成分という〕の組成物中の含有量が０．１〜１０質量％であり、且つ（ｂ２）炭素数８〜２０のアルコールにエチレンオキシド（以下、ＥＯと表記する）が付加してなる非イオン界面活性剤であって、付加モル数が３以下の非イオン界面活性剤〔以下、（ｂ２）成分という〕の組成物中の含有量が１．２質量％以上である、洗浄剤組成物に関する。
【０００８】
【化２】
2008169246.tif 000002
【０００９】
（式中、Ｒ1は炭素数８〜２２の炭化水素基、Ｒ2、Ｒ3、Ｒ4はそれぞれ炭素数１〜３の飽和炭化水素基、Ｘ-は対アニオンである。）
【発明の効果】
【００１０】
本発明の洗浄剤組成物は、洗濯によりウール素材から化繊・木綿素材まで幅広い衣料に優れた肌触り・柔軟性・洗浄性を付与できる。そのため、洗濯物を干す時・たたむ時の肌触り、更には着用時の着心地を向上できる。
【発明を実施するための最良の形態】
【００１１】
＜（ａ）成分＞
本発明に用いるカルボキシ変性シリコーンは、官能基としてカルボキシ基を有していれば、特に限定されるものではない。また、カルボキシ基が導入されていれば、他の官能基が導入されていても、何ら問題はない。
【００１２】
カルボキシ変性シリコーンの分子量は、特に限定されるものではないが、肌触り・柔軟性向上の理由から、好ましくは２５℃における粘度換算で１００〜１００万ｍＰａ・ｓ、より好ましくは５００〜１０，０００ｍＰａ・ｓ、更に好ましくは、１０００〜５０００ｍＰａ・ｓである。粘度は、測定試料の粘度（25℃）が１００，０００ｍＰａ・ｓ未満の場合、Ｂ型粘度計（東京計器（株）ＤＶＭ−Ｂ）で測定し、測定試料の粘度（25℃）が１００，０００ｍＰａ・ｓ以上の場合はＥ型粘度計（東機産業（株）ＲＥ８０Ｌ）で測定する。
【００１３】
また、（ａ）成分のカルボキシ基当量は、特に限定されるものではないが、肌触り、柔軟性の観点から、好ましくは１００〜１００，０００ｇ／ｍｏｌ、より好ましくは５００〜１０，０００ｇ／ｍｏｌ、更に好ましくは１，０００〜５，０００ｇ／ｍｏｌである。尚、カルボキシ基当量は、カルボキシ基１個当りのカルボキシ変性シリコーンの分子量を表すものである。このカルボキシ基当量は、カルボキシ基当量＝カルボキシ基変性シリコーンの分子量／カルボキシ変性シリコーンの分子量（１モル）当たりのカルボキシ基の個数（モル数）により算出されるものである。
【００１４】
カルボキシ変性シリコーン化合物としては、信越化学工業社製「Ｘ−２２−３７０１Ｅ」、東レダウシリコーン社製「ＢＹ１６−８８０」ＢＹ１６−７５０等の市販品を使用することができる。
【００１５】
本発明の洗浄剤組成物中の（ａ）成分の含有量は、肌触り・柔軟性と洗浄力の点で、０．０１〜１０質量％であり、好ましくは０．０５〜５質量％、より好ましくは０．１〜３質量％、最も好ましくは０．２〜２質量％である。
【００１６】
なお、本発明の洗浄剤組成物は、（ａ）成分以外のシリコーン化合物を含有することができるが、肌触り、柔軟性の点から、組成物中のシリコーン化合物の合計量（Ｓ）と（ａ）成分の合計量（Ｓａ）の質量比が（Ｓａ）／（Ｓ）で０．６以上、更に０．７５以上、特に０．９以上が好ましい。他のシリコーン化合物としては、例えば、アミノ変性シリコーン化合物、アルキル変性シリコーン化合物、エポキシ変性シリコーン化合物などを挙げることができる。
【００１７】
＜（ｂ）成分＞
本発明の洗浄剤組成物は、特に、形崩れ、柔軟性、洗浄性能の点で、組成物全量を基準として、（ｂ）成分である界面活性剤を好ましくは１０〜６０質量％、更に好ましくは１２〜５５質量％、特に好ましくは１５〜４５質量％含有する。
【００１８】
本発明の洗浄剤組成物は、界面活性剤として（ｂ１）成分である特定の第４級アンモニウム塩を０．１〜１０質量％、且つ（ｂ２）成分であるＥＯ付加モル数が３以下のアルコールエトキシレート型非イオン界面活性剤を１．２質量％以上含有する。
【００１９】
＜（ｂ１）成分＞
本発明の洗浄剤組成物は、優れた柔軟効果を維持する観点から、（ｂ１）成分として下記一般式（１）で表される第４級アンモニウム塩を含有する。
【００２０】
【化３】
2008169246.tif 000003
【００２１】
（式中、Ｒ1は炭素数８〜２２の炭化水素基、好ましくはアルキル基、Ｒ2、Ｒ3、Ｒ4はそれぞれ炭素数１〜３の炭化水素基、Ｘ-は対アニオン、例えばＣｌ-、Ｂｒ-等のハロゲンイオン、アルキル硫酸イオン等である。）
【００２２】
（ｂ１）成分の具体例としては、ステアリルトリメチルアンモニウムクロライド、オレイルトリメチルアンモニウムクロライド、カプリルトリメチルアンモニウムクロライド、ミリスチルトリメチルアンモニウムクロライド、セチルトリメチルアンモニウムクロライド、ベヘニルトリメチルアンモニウムクロライド、ラウリルトリメチルアンモニウムクロライド、セチルトリエチルアンモニウムブロマイド、ヘキサデシルトリメチルアンモニウムクロライド等が挙げられる。
【００２３】
本発明の洗浄剤組成物中の（ｂ１）成分の含有量は、肌触り・柔軟性と洗浄力の点で、０．１〜１０質量％であり、０．２〜５質量％、更に０．３〜３質量％が好ましい。
【００２４】
また、本発明の洗浄剤組成物では、肌触り・柔軟性の点で、（ａ）成分と（ｂ１）成分との質量比が、（ａ）／（ｂ１）＝１０／１〜１／１０であることが好ましく、５／１〜１／５がより好ましく、３／１〜１／３が更に好ましい。
【００２５】
＜（ｂ２）成分＞
本発明の洗浄剤組成物は、ウールの濡れ性の点から、洗浄剤組成物全量を基準として、（ｂ２）成分を１．２質量％以上含有するが、好ましくは１．５質量％以上、より好ましくは１．８質量％以上である。一方、洗浄力の観点から、（ｂ２）成分の含有量は１２質量％以下が好ましく、より好ましくは７質量％以下、更に好ましくは５質量％以下である。
【００２６】
（ｂ２）成分は、炭素数８〜２０のアルコールに、ＥＯを付加させて得られるポリオキシエチレンアルキル又はアルケニルエーテルであり。そのうち、付加モル数が１、２、３のものが本発明の（ｂ２）成分となる。なお、組成物中のＥＯ付加モル数の分布は、ガスクロマトグラフィーにて通常の方法で測定できる。
【００２７】
（ｂ）成分としては、非イオン界面活性剤、陰イオン界面活性剤、陽イオン界面活性剤、両性界面活性剤等が挙げられる。
【００２８】
非イオン界面活性剤としては、ポリオキシアルキレンアルキルエーテル、ポリオキシアルキレンアルキルフェニルエーテル、ポリオキシアルキレンソルビタン脂肪酸エステル、ポリオキシアルキレングリコール脂肪酸エステル、ポリオキシエチレンポリオキシプロピレンブロックポリマー、脂肪酸アルカノールアミド、アルキルポリグリコシド、ポリヒドロキシ脂肪酸アミド等が挙げられ、特に、ポリオキシアルキレンアルキルエーテルが好ましい。ポリオキシアルキレンアルキルエーテルの一部は（ｂ２）成分となる場合がある。
【００２９】
本発明の洗浄剤組成物は、ウールの濡れ性向上の観点から、アルキル基の炭素数８〜２０でありＥＯ平均付加モル数が３モル前後のポリオキシエチレアルキルエーテル型の非イオン界面活性剤、具体的にはエマルゲン１０３（花王（株）製）を含有することが望ましい。
【００３０】
陰イオン界面活性剤としては、炭素数１０〜１８のアルキル鎖を持つ直鎖アルキルベンゼンスルホン酸、炭素数１０〜１８のアルキル硫酸エステル、ポリオキシアルキレンアルキル（炭素数１０〜１８）エーテル硫酸エステル、アルファスルホ脂肪酸（炭素数１０〜１８）アルキル（例えばメチル）エステル、炭素数８〜２０の脂肪酸等、及びこれらの塩が好ましい。
【００３１】
陰イオン界面活性剤の対イオンとしては、ナトリウム、カリウム等のアルカリ金属、マグネシウム等のアルカリ土類金属、モノ、ジ、トリエタノールアミン等のアルカノールアミン等が挙げられるが、特にアルカノールアミン塩を用いることで液安定性が向上することから好適である。
【００３２】
また、更に被洗浄物などの柔軟性を向上させるためには、陽イオン界面活性剤〔（ｂ１）成分以外のもの〕を、添加しても良い。陽イオン界面活性剤としては、モノ、ジ、もしくはトリ、中鎖ないし長鎖アルキル又はアルケニル型第４級アンモニウム塩、第３級アミン塩、イミダゾリン塩、イミダゾリニウム塩、アミノ酸系陽イオン界面活性剤等から選ばれる１種又は２種以上が好適に使用される。この中鎖ないし長鎖アルキル基又はアルケニル基は、炭素数８〜２８、好ましくは炭素数８〜２２の直鎖又は分岐鎖であってもよく、−Ｏ−、−ＣＯＮＨ−、−ＣＯＯ−等のエーテル基、アミド基もしくはエステル基で分断、又は−ＯＨ等で置換されていてもよい。
【００３３】
その対となるアニオンは特に限定されず、塩素、ヨウ素、臭素等のハロゲンイオン；メトサルフェート、エトサルフェート、メトフォスフェート、エトフォスフェート等の有機アニオンが挙げられる。
【００３４】
陽イオン界面活性剤の好ましい具体例として、ジラウリルジメチルアンモニウムクロライド、ジステアリルジメチルアンモニウムクロライド、セチルベンジルジメチルアンモニウムクロライド、ヘキサデシルオクタデシルジメチルアンモニウムクロライドや、その他アルキル（アルキル基の炭素数８〜２８）ジメチルベンジルアンモニウム塩、ジアルキル（アルキル基の炭素数８〜２８）メチルヒドロキシエチルアンモニウム塩等が挙げられる。
【００３５】
両性界面活性剤としてアルキルカルボベタイン、アルキルアミドプロピルアミンオキサイド、アルキルスルホベタイン、アルキルアミドヒドロキシスルホベタイン、アルキルアミドアミン型ベタイン及びアルキルイミダゾリン型ベタインなどが配合できる。両性界面活性剤は、液の安定性及び泥汚れ洗浄性の点で、好ましくは組成物中１〜２０質量％含有される。
【００３６】
また、（ｂ）成分中、非イオン界面活性剤を２０質量％以上の割合で含むことが好ましい。肌触り・柔軟性、洗浄性能の点で、この割合は４０質量％以上が好ましく、６０質量％以上がより好ましく、８０質量％以上が更に好ましく、９０質量％以上が特に好ましい。
【００３７】
なお洗浄性を高める観点から、（ｂ）成分は、皮脂汚れ洗浄性の点で非イオン界面活性剤、再汚染防止性の点で陰イオン界面活性剤を使用することが好ましい。
【００３８】
また、洗浄性能の点から、組成物中の（ｂ）成分と（ａ）成分の質量比は（ａ）／（ｂ）で３／１０以下、更に３／２０以下、特に１／１０以下が好ましい。また、１／１０００以上、更に１／２００以上が好ましい。
【００３９】
更に本発明の洗浄剤組成物には、次の成分を配合することができる。
即ち、アルカリ金属の水酸化物、ケイ酸塩、炭酸ナトリウム等の炭酸塩、及びアルカノールアミン等のアルカリ剤０．０１〜１０質量％、
エタノール等のアルコール類、エチレングリコール及びプロピレングリコール等のグリコール類、パラトルエンスルホン酸、安息香酸塩（防腐剤としての効果もある）並びに尿素等の減粘剤及び可溶化剤０．０１〜３０質量％、
ポリオキシアルキレンベンジルエーテル、ポリオキシアルキレンフェニルエーテル等の相調整剤及び洗浄力向上剤０．０１〜１０質量％
ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、並びにマロン酸、コハク酸、ジグリコール酸、リンゴ酸、酒石酸、クエン酸及びそれらの塩等の金属イオン捕捉剤０．１〜２０質量％、
ポリアクリル酸、ポリマレイン酸、カルボキシメチルセルロース、平均分子量５０００以上のポリエチレングリコール、無水マレイン酸-ジイソブチレン共重合体、無水マレイン酸-メチルビニルエーテル共重合体、無水マレイン酸-イソブチレン共重合体、無水マレイン酸-酢酸ビニル共重合体、ナフタレンスルホン酸塩ホルマリン縮合物、及び特開昭５９-６２６１４号公報の請求項１〜２１（１頁３欄５行〜３頁４欄１４行）記載のポリマー等の再汚染防止剤及び分散剤０．０１〜１０質量％、
ポリビニルピロリドン等の色移り防止剤０．０１〜１０質量％、
過炭酸ナトリウム又は過硼酸ナトリウム等の漂白剤０．０１〜１０質量％、
テトラアセチルエチレンジアミン、特開平６-３１６７００号公報の一般式（Ｉ−２）〜（Ｉ−７）で表される漂白活性化剤等の漂白活性化剤０．０１〜１０質量％、
アミラーゼ、プロテアーゼ、リパーゼ及びセルラーゼ等の酵素０．００１〜２質量％、
塩化カルシウム、硫酸カルシウム、ギ酸、ホウ酸（ホウ素化合物）等の酵素安定化剤０．００１〜２質量％、
チノパールＣＢＳ（チバガイギー社製）やホワイテックスＳＡ（住友化学社製）等の蛍光染料０．００１〜１質量％、
シリカ、（ａ）成分以外のシリコーン化合物等の消泡剤０．０１〜２質量％、
ブチルヒドロキシトルエン、ジスチレン化クレゾール、亜硫酸ナトリウム及び亜硫酸水素ナトリウム等の酸化防止剤０．０１〜２質量％、
その他、青味付け剤、香料及び抗菌防腐剤等が挙げられる。また剤形が液体の場合は残部は水であり、貯蔵安定性の点からイオン交換水を用いることが好ましい。なお上記配合濃度は、配合する際の好ましい濃度であり、剤形によって多少変動してもよい。
【００４０】
本発明の組成物のｐＨについては、ＪＩＳ  Ｋ３３６２：１９９８記載の方法による２０℃におけるｐＨが、ｉ）組成物が粉末もしくは固体の場合、０．１質量％水溶液のｐＨが６〜８であり、ｉｉ）液体の場合、原液のｐＨが６〜８であることが好ましく、いずれの場合も、被洗浄物の変形・変質防止の点で、６．５〜８がより好ましく、７〜７．８が更に好ましく、７〜７．６が特に好ましい。
【００４１】
本発明の洗浄剤組成物は、錠剤、粉末、ペースト、液体等のいずれの形態でも良いが、溶解性、使い易さの点で液体が好ましい。本発明の組成物が液体である場合、２０℃における粘度は、取り扱いの容易さの点で５〜４００ｍＰａ・ｓが好ましく、１０〜１００ｍＰａ・ｓがより好ましく、１０〜５０ｍＰａ・ｓが更に好ましい。粘度調整剤を用いて当該範囲となるように調整することが好ましい。なお、これらの粘度は、Ｂ型粘度計（（株）東京計器製、VISCOMETER MODEL DVM-B）を用い、回転数６０ｒ／ｍｉｎ、ローターＮｏ．１、測定時間６０秒の条件で測定されたものである。
【００４２】
粘度調整剤としては、減粘剤としてエタノール、メタノール、プロパノール、グリセリン、エチレングリコール、プロピレングリコール等の炭素数１〜４の低級アルコール、トルエンスルホン酸（塩）、キシレンスルホン酸（塩）等を用いることができ、増粘剤として水溶性高分子、無機電解質を用いることができる。水溶性高分子としては、ポリマレイン酸、ポリイタコン酸、ビニルメチルエーテル-無水マレイン酸共重合物、ポリプロピレングリコール（分子量１００〜１０００）等が挙げられる。無機電解質としては、硫酸ナトリウム、塩化ナトリウム、塩化カリウム等が挙げられる。
【００４３】
また、液体洗浄剤組成物の場合は、外観が透明であることが好ましい。透明度は光の透過率で表される。水に対する透過率が８０％以上、好ましくは９０％以上、９５％以上が更に好ましい。透過率の測定は、日本電色工業（株）ＮＤＨ２００を用い、水をブランクとしたときの全光線透過光を測定することにより、求められる。透明な外観を得るためにも、（ｂ２）成分を含有することが好ましい。
【００４４】
本発明の洗浄剤組成物は、繊維製品用として好適であり、具体的にはウールや化繊、木綿等のニット製品やおしゃれ着、肌着等、幅広い衣料用として好適である。
【００４５】
本発明の洗浄剤組成物は、洗濯により被洗浄物に肌触りの向上効果及び／又は柔軟性の向上効果を付与するために用いることができる。このため、柔軟性能（繊維製品に対する柔軟性の付与効果を有する）を具備する洗浄剤組成物として使用できる。
【００４６】
本発明の洗浄剤組成物が液体である場合、保存安定性向上の点で溶存酸素濃度を５ｐｐｍ以下にすることが好ましく、３ｐｐｍ以下がより好ましく、１ｐｐｍ以下が更に好ましい。組成物中の溶存酸素を低下させるために、配合時あるいは貯蔵時に配合槽や貯槽を減圧しても良いし、気体透過性・液体不透過性の隔膜の片側に組成物を流し、他の側を減圧することにより溶存酸素を低下させても良いし、チッソガス等の不活性ガスにより置換しても良い。
【００４７】
本発明の洗浄剤組成物の洗濯時の使用量は、洗濯機使用時で水３０Ｌあたり１０ｇ〜１００ｇ、好ましくは２０ｇ〜８０ｇ、より好ましくは３０ｇ〜６０ｇである。
【実施例】
【００４８】
実施例１
下記に示す成分を用い、表１に示す組成の液体洗浄剤組成物を調製した。得られた組成物を用いて下記方法で肌触り・柔軟性能の評価を行った。結果を表１に示す。なお、表１中、本発明品１〜８の透過率は９５％以上であった（測定方法は前記の通り）。
【００４９】
＜配合成分＞
・ａ−１：カルボキシ変性シリコーン  信越化学工業社製  Ｘ−２２−３７０１Ｅ
・ａ−２：カルボキシ変性シリコーン  東レダウシリコーン社製  ＢＹ１６−８８０
・ａ’−１：下記一般式（ｃ）で表されるアミノ変性シリコーンであって、Ｒ＝Ｒ1c＝ＣＨ3、ｌ＝３００、ｍ＝７、ｎ＝４、Ａ：（イ）-(ＣＨ2)3-ＮＨ-ＣＯ-ＣＨ2-Ｏ-(Ｃ2Ｈ4Ｏ)5-Ｃ12Ｈ25及び（ロ）-(ＣＨ2)3-ＮＨ2の混合基、（イ）／（ロ）＝７／３（モル比）、Ｂ：-(ＣＨ2)3-Ｏ-(Ｃ2Ｈ4Ｏ)10-ＣＨ3、であるシリコーン化合物
【００５０】
【化４】
2008169246.tif 000004
【００５１】
・ｂ１−１：ステアリルトリメチルアンモニウムクロライド  花王（株）製  コータミン８６ｗ
・ｂ１−２：ラウリルトリメチルアンモニウムクロライド  花王（株）製  コータミン２４
・ｂ３：炭素数１２の直鎖第１級アルコールにＥＯを平均１２モル付加させたポリオキシエチレンアルキルエーテル
・ｂ４：炭素数１２の第１級アルコールにＥＯを平均８モル付加させたポリオキシエチレンアルキルエーテル
・ｂ５：炭素数１０〜１４の第２級アルコールにＥＯを平均３モル付加させたポリオキシエチレンアルキルエーテル
・ｂ６：アルキル基が炭素数１０〜１４の直鎖アルキルベンゼンスルホン酸
・ｂ７：ポリオキシエチレンアルキルエーテル硫酸ナトリウム（アルキル基の炭素数１２、平均ＥＯ付加モル数３）
・ｂ８：炭素数１２〜１４のヤシ油系脂肪酸
・高分子化合物：ペンテン／マレイン酸コポリマー（モル比５０／５０、平均分子量１万）
・ポリエチレングリコールモノフェニルエーテル：平均ＥＯ付加モル数３
・ポリエチレングリコール：質量平均分子量１０００のポリエチレングリコール
・酵素：デュラザイム１６．０Ｌ（プロテアーゼ、ノボノルディスクバイオインダストリー（株）製）
・蛍光染料：チノパールＣＢＳ-Ｘ（日本チバガイギー（株）製）
＊上記において、ＥＯはエチレンオキサイド、ＰＯはプロピレンオキサイドである。また、表中のｐＨ調整量とは、表中のｐＨ（測定方法は前記の通り）とするために必要な量である。
【００５２】
＜肌触り・柔軟性評価方法＞
全自動洗濯機（東芝ＡＷ-Ｄ８０２ＶＰ）の洗濯槽に水道水３０リットルを入れ、ウール編み布（カネボウ社製  中細毛糸使用）３５０ｇ（表中、ウールと表示）、アクリルニット３５０ｇ（表中、アクリルと表示）、ポリエステルジャージ４００ｇ（表中、ポリエステルと表示）、綿ニット４００ｇ（（株）谷頭商店製）（表中、木綿と表示）を入れる。更に表１の液体洗浄剤組成物を４０ｇ入れ、ドライコースにて洗濯する。尚、水道水は２０℃に調整して用いた。洗濯終了後、２０℃、６５％ＲＨの恒温恒湿室に２４時間静置乾燥した。乾燥後の試験布を、肌触り・柔軟性それぞれについて、標準衣料用液体洗浄剤組成物（表中、標準洗剤と表示、組成を表１に合わせて示す）で同様に処理した試験布と対比して、下記の基準で熟練したパネラー５名により評価した。評価点は５名の合計点とした。結果を表１に示す。
−２点：標準衣料用液体洗浄剤組成物と比較して、肌触り・柔軟性が著しく悪い
−１点：標準衣料用液体洗浄剤組成物と比較して、肌触り・柔軟性が悪い
０点：標準衣料用液体洗浄剤組成物と比較して、肌触り・柔軟性が変わらない
１点：標準衣料用液体洗浄剤組成物と比較して、肌触り・柔軟性が良い
２点：標準衣料用液体洗浄剤組成物と比較して、肌触り・柔軟性が著しく良い
【００５３】
【表１】
2008169246.tif 000005